(57)【特許請求の範囲】
【請求項１】
キーと、
前記キーに対応して設けられたキースイッチと、
ディスプレイが設けられた上筐体と、
前記キーが設けられた下筐体と、
前記ディスプレイと前記キーが対向するように前記上筐体と前記下筐体とを折り畳んで重ねる第一の状態と、前記ディスプレイの裏面と前記キーの裏面が対向して前記キーが露出するように前記上筐体と前記下筐体とを折り畳んで重ねる第二の状態と、前記上筐体と前記下筐体とを重ねない第三の状態とを切り替えることが可能な可動部と、
前記第一の状態、前記第二の状態、及び前記第三の状態を検出する状態検出手段と、
前記キーが押下された状態と前記キーが押下されていない状態とを前記キースイッチの一端に接続された配線の電圧レベルがＨｉｇｈかＬｏｗかによって検出するキー押下検出手段と、
前記状態検出手段によって前記第二の状態が検出されたとき、前記キーが押下された状態でも押下されていない状態でも前記キースイッチの一端に接続された配線の電圧レベルが同じＨｉｇｈまたはＬｏｗとなるよう制御する制御手段と、を有することを特徴とする電子機器。
【請求項２】
筐体の少なくとも一部が開閉可能な機構を持った電子機器であって、
筐体が閉状態のときには隠蔽され、開状態のときに露出する第１のキーと、
筐体の開閉状態に関わらず露出している第２のキーと、
前記第１のキーに対応する第１のキースイッチと、
前記第２のキーに対応する第２のキースイッチと、
前記筐体の開閉状態を検出する状態検出手段と、
前記第１のキーが押下された状態と前記第１のキーが押下されていない状態とを前記第１のキースイッチの一端に接続された配線の電圧レベルがＨｉｇｈかＬｏｗかによって検出する第１のキー押下検出手段と、
前記第２のキーが押下された状態と前記第２のキーが押下されていない状態とを前記第２のキースイッチの一端に接続された配線の電圧レベルがＨｉｇｈかＬｏｗかによって検出する第２のキー押下検出手段と、
前記状態検出手段が前記筐体の閉状態を検出したときに前記第１のキーおよび前記第２のキーに割当てられた機能を動作させないようロックするロック設定手段と、
前記状態検出手段が前記筐体の開状態を検出したときに前記ロック設定手段によって設定されたロック状態を前記第１のキーの操作に応じて解除するロック解除手段と、
前記状態検出手段によって閉状態が検出されたとき、前記ロック設定手段によってロック状態に設定されている場合、前記第２のキーが押下された状態でも押下されていない状態でも前記第２のキースイッチに接続された配線の電圧レベルを同じＨｉｇｈまたはＬｏｗとなるように変えない制御をする制御手段と、を有することを特徴とする電子機器。
【発明の詳細な説明】
【技術分野】
【０００１】
本発明は電子機器に関する。
【背景技術】
【０００２】
携帯電話機やＰＨＳ等の携帯機器は、人間が身につけている時や鞄に入れて持ち運んでいる時に、ユーザの意図に反してキーが押下される場合がある。例えば、折り畳み型の携帯電話機の場合、折り畳まれた状態で上筐体が押されたときに上筐体が撓んで、下筐体に配置されたキーが押下されることや、上筐体と下筐体の間に物を挟んだ状態で閉じると、キーが押下され続けることがある。
【０００３】
このようにユーザの意に反してキーが押下されているときに、そのキーに割当てられた機能が実行されないようにするために、携帯機器が閉じられたときにキーが押下されていると、そのキー操作を無効化する携帯電話機が提案されている（例えば、特許文献１参照。）。
【特許文献１】特公平５−４４２１７号公報
【発明の開示】
【発明が解決しようとする課題】
【０００４】
特許文献１に記載される発明では、携帯型無線電話機が閉じられた状態のときに、キーが押下されたとしても、そのキー入力操作を無視するようにソフトウェアによる処理を行っている。しかしながら、キーが押下されたことによって、キースイッチがＯＮの状態となり、キー検出のための消費電流が発生するという問題点がある。特に携帯電話機やＰＨＳなどのように電池によって駆動する携帯型の電子機器では、このような無駄な消費電流によって電池持ちが悪くなる。そのうえ、キー入力操作を無視するように設定されているため、キーが押下され続けている状態にユーザは気付きにくく、キー検出のための消費電流が発生する状態が長時間継続してしまう可能性がある。また、キーが押下されたことを検出したことによって、キーを無効化するための処理を行う必要があるという問題点がある。
【０００５】
そこで本発明は、ユーザが意図しないところで押下されているキーを検出する消費電流を削減した電子機器を提供することを目的とする。
【課題を解決するための手段】
【０００６】
上記目的を達成するために、本発明による電子機器は、自装置の状態に応じて所定のキーを無効とする電子機器であって、キーと、前記キーに対応して設けられたキースイッチと、前記キースイッチの一端に接続された第１の配線および他端に接続された第２の配線と、前記キーが押下された状態と前記キーが押下されていない状態とを前記キースイッチに接続された前記第２の配線の電圧レベルがＨｉｇｈかＬｏｗかによって検出するキー押下検出手段と、自装置の状態が所定のキーを無効とする条件に合致するときに、そのキーが押下された状態でも押下されていない状態でもそのキーに対応するキースイッチに接続された第２の配線の電圧レベルが同じＨｉｇｈまたはＬｏｗとなるよう制御する制御手段とを有することを特徴とする。
【発明の効果】
【０００７】
本発明によれば、ユーザが意図しないところで押下されているキーを検出する消費電流を削減した電子機器を提供することができる。
【発明を実施するための最良の形態】
【０００８】
以下、本発明の実施形態の一例である携帯電話機について、図面を参照しながら説明する。
【０００９】
図１は、本発明の実施形態の一例である携帯電話機の外観図である。携帯電話機１は、ディスプレイ１１が設けられた上筐体とキーが設けられた下筐体とがヒンジによって接続されており、開閉することができる。下筐体に設けられたキーには、テンキーや方向キーなどのメインキー１２ａと、下筐体の側面に設けられたサイドキー１２ｂと、電源キー１２ｃとがある。
【００１０】
図２は、上筐体と下筐体が重なるように上筐体を回動させた状態での携帯電話機１の外観図である。携帯電話機１は、図２（ａ）に示すように、上筐体のディスプレイ１１が設けられた面と下筐体のメインキー１２ａが設けられた面が対向するように折り畳んで、携帯電話機１を閉じることができる。また、図２（ｂ）に示すように、上筐体の裏面と下筐体の裏面が対向するように折り畳むこともできる。以降、図２（ａ）のように折り畳まれた状態を閉状態、図２（ｂ）のように折り畳まれた状態を折返し状態、上筐体と下筐体が重ねられていない状態（例えば、図１の状態）を開状態と称する。
【００１１】
図３は、携帯電話機１の構成を示すブロック図である。携帯電話機１は、制御部５１、記憶部５２、操作部５３、通信部５４、信号処理部５５、音声入出力部５６、表示部５７、電源制御部５８、放送受信部５９を有し、電池２によって駆動する。
【００１２】
制御部５１はＣＰＵなどから構成され、携帯電話機１全体の制御を行う。制御部５１には、キーの押下を検出するキー検出部８１と、携帯電話機１の開閉を検出する開閉検出部８２がある。
【００１３】
開閉検出部８２は、例えばホールセンサと磁石から成り、上筐体と下筐体のいずれか一方にホールセンサを設け、他方に磁石を設けることによって、磁界の変化によって、閉状態や開状態を検出する。
【００１４】
キー検出部８１は、メインキー１２ａ、サイドキー１２ｂ、電源キー１２ｃから成る操作部５３のキー操作を検出する。キー検出部８１は、メインキー１２ａのキー検出回路、サイドキー１２ｂのキー検出回路、電源キー１２ｃのキー検出回路から成り、それぞれのキー押下状態を検出する。キーの押下状態の検出方法については、後述する。
【００１５】
キー検出部８１によるキー検出に応じて、例えば、記憶部５２に記憶されたイメージデータを読み出し、表示部５７を制御してディスプレイへの表示を行うことができる。または、放送受信部５９を制御してテレビ放送波を受信させて復号処理などを行わせ、表示部５７を制御してディスプレイへ映像を表示させ、音声入出力部５６を制御してスピーカからの音の出力をさせることができる。
【００１６】
また、操作部５３でのキー操作によって音声通話が開始された場合には、送信処理として、制御部５１は音声入出力部５６を制御してマイクから音を収音して音声信号の原信号を取得させ、信号処理部５５を制御して原信号に対して符号化や誤り対策の処理を行わせ、通信部５４を制御して信号処理部５５によって処理された信号を送信させるとともに、受信処理として、通信部５４によって受信した信号に対して信号処理部５５を制御して復号や誤り訂正の処理を行わせ、音声入出力部５６を制御してレシーバから音を出力させる。
【００１７】
このような構成の携帯電話機１のキーとキー検出方法について詳細に説明する。  
図４はメインキー１２ａに対応するキースイッチと、それらのキースイッチに接続されてキー検出を行うキー検出回路の構成を示す図である。
【００１８】
メインキー１２ａにはそれぞれのキーに対応してキースイッチ２１１〜２２２が設けられており、それらはマトリクス状に配置されてキーマトリクス２００を形成している。また、各キースイッチの一端は、列方向の配線（ラインａ〜ラインｄ）に接続され、他端は行方向の配線（ラインｅ〜ラインｇ）に接続されている。
【００１９】
キー検出回路の入力ポート（ポートＥ〜ポートＧ）は、キーマトリクスの行方向の配線（ラインｅ〜ラインｇ）に接続されており、それぞれの配線によって入力される検出用制御信号の電圧レベルがＨｉｇｈかＬｏｗかを読み出して、キーの押下を検出する。入力ポートは、プルアップ抵抗１１１を有し、このプルアップ抵抗１１１にキーマトリクス２００の各キースイッチに接続された行方向の配線が接続されているため、接続されたキースイッチのキーがいずれも押されていない状態で、検出用制御信号の電圧レベルはＨｉｇｈとなっている。
【００２０】
キー検出回路の出力ポート（ポートＡ〜ポートＤ）は、キーマトリクスの列方向の配線（ラインａ〜ラインｄ）に接続されており、探索用制御信号を出力する。出力ポートは、出力バッファ１０１、入力バッファ１０２、プルアップ抵抗１０３、トランジスタ１０４から構成されている。
【００２１】
出力ポートは、出力バッファ１０１が有効な状態と入力バッファ１０２が有効な状態とを切り換えることができる。また、プルアップ抵抗１０３は、トランジスタ１０４のＯＮ／ＯＦＦが切り換えられることによって、有効または無効にすることができる。
【００２２】
このキー検出回路において、キーの押下を検出する方法について説明する。出力ポートはいずれのポートも、通常、トランジスタ１０４をＯＦＦにすることによってプルアップ抵抗１０３を無効な状態とする。また、出力バッファ１０１が有効な出力モードとし、出力バッファにＬｏｗの信号を入力する。これによって、出力ポートから電圧レベルがＬｏｗの探索用制御信号が出力される。
【００２３】
ここで、キースイッチ２１１〜２２２のいずれかがＯＮの状態となったことを検出すると、ポートＡ〜ポートＤのそれぞれから順にＬｏｗの探索用制御信号が出力されるよう制御し、どのキースイッチがＯＮであるのかを特定する。例えば、キースイッチ２１１がＯＮの状態となった場合、ポートＤからＬｏｗの探索用制御信号が出力されたときに、ラインｄの電圧レベルがＬｏｗとなり、キースイッチ２１１がＯＮになることによって接続された信号ラインに電流が流れ、ラインｅの電圧レベルはＨｉｇｈからＬｏｗに変化する。
【００２４】
そして、ポートＥがＬｏｗの検出用制御信号を検出して、キースイッチ２１１がＯＮであると特定する。
【００２５】
携帯電話機１の筐体が開状態であるときには、メインキー１２ａを用いてユーザによる操作が入力される可能性がある。そこで、前述のとおり、出力ポートは常にＬｏｗの探索用制御信号を出力してキースイッチ２１１〜２２２のいずれかがＯＮである状態を検出し、キースイッチ２１１〜２２２のいずれかがＯＮの状態となると、ポートＡ〜ポートＤに順にＬｏｗの探索用制御信号を出力することによって、ＯＮのキースイッチを特定する。
【００２６】
それに対して、携帯電話機１の筐体が閉状態であるときには、メインキー１２ａが携帯電話機１の上筐体によって覆われる。そのため、携帯電話機１を閉じた状態でメインキー１２ａが押下されたとき、それはユーザが何らかの操作を指示するために意図して押下したのではなく、携帯電話機１の上筐体が撓むことによって押下される場合や、携帯電話機１を閉じた状態のときに間に物がはさまって押下される場合など、ユーザが意図せずに押下されている可能性が高い。
【００２７】
そこで、開閉検出部８２が携帯電話機１の閉じられた状態を検出したときには、出力ポートの全てのポートのトランジスタ１０４をＯＮにすることによってプルアップ抵抗１０３を有効にするとともに、出力バッファ１０１を無効化する。これによって、メインキー１２ａのキー押下を探索するための制御信号は入力の状態であって、電圧レベルがＨｉｇｈの状態となる。
【００２８】
ここで、入力ポートは、常に入力モードであって、プルアップ抵抗１１１が接続された状態であるため、キースイッチ２１１〜２２２のキー押下を検出するための制御信号も入力の状態であって、電圧レベルがＨｉｇｈの状態である。
【００２９】
このように、探索用制御信号と検出量制御信号の電圧レベルが同じＨｉｇｈの電圧レベルであるため、キースイッチが押下されたとしても、キーマトリクス２００の行方向のライン（ラインｅ〜ラインｇ）の検出用制御信号の電圧レベルは変わらず、無駄な消費電流の発生を抑えることができる。
【００３０】
また、携帯電話機１を閉じた状態では、キースイッチ２１１〜２２２がＯＮの状態であることを検出しないため、ユーザの意図しないうちに携帯電話機１の機能が実行されることを防ぐことができる。この方法によると、ソフトウェアによってメインキー１２ａが押下されたことを無効化する場合と比較しても、そもそもキー検出を行わないため、無駄な処理を削減することができる。
【００３１】
携帯電話機１を図２（ｂ）のように折返し状態にしたときには、例えば、テレビ機能を動作させるとする。このとき、ディスプレイ１１に表示された映像を見ながらメインキー１２ａを操作することは困難である。また、このように折返し状態では、ユーザが携帯電話機１を保持しているときに、何らかのメインキー１２ａが押下されてしまう可能性が高い。
【００３２】
そこで、折返し状態を開閉検出部８２が検出したときにも、閉状態のときと同様、入力バッファ１０２が動作する入力モードにし、プルアップ抵抗１０３を接続するよう制御する。これによって、折返し状態ではメインキー１２ａのキー検出を行わず、メインキー１２ａが押下されたとしても入力ポートに入力されるラインｅ〜ラインｇの検出用制御信号の電圧レベルは変化しないため、無駄な消費電流が発生することがない。
【００３３】
なお、メインキー１２ａが押下されたとしてもラインｅ〜ラインｇの検出用制御信号の電圧レベルを変化させないようにする方法としては、上述のとおり、出力ポートを入力モードに設定するとともにプルアップ状態にすることによって、メインキー１２ａが押下されている場合でも押下されていない場合でも、検出量制御信号の電圧レベルをＨｉｇｈに保つ方法の他にも考えられる。
【００３４】
例えば、出力ポートのプルアップ抵抗１０３を設定せずに、出力バッファ１０１を動作させてＨｉｇｈの電圧レベルの出力モードとしても良い。これによって、ラインａ〜ラインｄの探索用制御信号はＨｉｇｈの状態となり、キースイッチがＯＮであろうとＯＦＦであろうと、ラインｅ〜ラインｇの検出用制御信号の電圧レベルは変化しない。
【００３５】
また、入力ポートを制御することによってキースキャンを停止しても良い。このようなキースキャンの停止方法を、サイドキー１２ｂのキー検出回路を例にして説明する。
【００３６】
図５は、サイドキー１２ｂの１つが押下されたことを検出するサイドキー検出回路の例である。サイドキー検出回路の入力ポートは、サイドキースイッチ３５１の一方の端子にラインｈによって接続されており、出力バッファ３０１、入力バッファ３０２、プルアップ抵抗３０３、トランジスタ３０４から構成される。プルアップ抵抗３０３の有効／無効はトランジスタ３０４のＯＮ／ＯＦＦによって設定される。また、入力バッファ３０２が動作する状態と出力バッファ３０１が動作する状態とに切り換えることができる。
【００３７】
このサイドキー検出回路では、通常、プルアップ抵抗３０３を有効にすることによって検出用制御信号をＨｉｇｈに設定し、入力バッファを動作させた入力モードに設定する。
【００３８】
キースイッチ３５１が押下されると、検出量制御信号の電圧レベルがＬｏｗに変化するため、サイドキー１２ｂが押下されたことを検出することができる。
【００３９】
それに対して、携帯電話機１がキーロックされている場合、メインキー１２ａのテンキーを用いて暗証番号を入力してキーロックを解除しなければ、メインキー１２ａやサイドキー１２ｂが押下されたとしても、そのキー入力によって、そのキーに割当てられた機能などは動作しない。メインキー１２ａを用いてキーロックを解除するには、必ずテンキーを操作する必要があるため、メインキー１２ａが上筐体などによって覆われているときやメインキー１２ａのキーが無効化されているときには、キーロックが解除できない。
【００４０】
そこで、キーロックが設定された状態で、なおかつ閉状態または折返し状態であることを検出すると、入力ポートのプルアップ抵抗３０３を無効化することによってラインｈの電圧レベルをＬｏｗに設定するとともに、出力バッファ３０１を動作させた出力モードに設定する。
【００４１】
このように、入力ポートをＬｏｗ信号の出力モードに切り換えることよって、キースイッチ３５１がＯＦＦの状態でもＯＮの状態でも、ラインｈの電圧レベルはＬｏｗとなって変化しない。このため、サイドキー１２ｂが押下されてキースイッチ３５１がＯＮになったとしても、ラインｈに無駄な電流が流れることを防止することができる。
【００４２】
次に、入力ポートを制御してキー検出を停止する更に別の方法についてサイドキーの検出回路を例にして説明する。図６は、サイドキー１２ｂの１つが押下されたことを検出するサイドキー検出回路の例である。サイドキー検出回路の入力ポートは、サイドキースイッチ３５１の一方の端子にラインｉによって接続されており、出力バッファ３０１、入力バッファ３０２、プルアップ抵抗３０３、トランジスタ３０４、トランジスタ３０５、プルダウン抵抗３０６から構成される。プルアップ抵抗３０３およびプルダウン抵抗３０６の有効／無効は、それぞれトランジスタ３０４とトランジスタ３０５のＯＮ／ＯＦＦによって設定される。また、入力バッファ３０２が動作する状態と出力バッファ３０１が動作する状態とに切り換えることができる。
【００４３】
このサイドキー検出回路では、通常、プルアップ抵抗３０３を有効にすることによってラインｉの検出用制御信号をＨｉｇｈに設定するとともに、入力バッファ３０２を動作させて入力モードに設定する。この状態でサイドキースイッチ３５１がＯＮになると、検出量制御信号の電圧レベルがＬｏｗに変化するため、これを検知することによって、サイドキー１２ｂが押下されたことを検出することができる。
【００４４】
それに対して、キーロックが設定された状態で、なおかつ、筐体が閉状態または折返し状態であることを検出すると、入力バッファ３０２を動作させたまま、プルアップ抵抗３０３を無効に設定するとともに、プルダウン抵抗３０６を有効にするよう制御する。これによって、サイドキースイッチ３５１がＯＦＦの状態では、ラインｉの電圧レベルがＬｏｗとなる。
【００４５】
すなわち、サイドキースイッチ３５１がＯＦＦの状態でもＯＮの状態でもラインｉの電圧レベルはＬｏｗであって変化しない。このため、サイドキースイッチ３５１がＯＮになってもラインｉに無駄な電流が流れることを防止することができる。
【００４６】
以上、メインキー１２ａのキー検出回路とサイドキー１２ｂのキー検出回路を用いて説明したように、携帯電話機の開閉状態やキーロック状態を検出し、これらの状態に応じてキー検出を停止することによって、ユーザが意図せずにキーが押下されるような場合に、そのキー押下によって無駄な消費電流が発生することを防止することができる。
【００４７】
さらに、上述のとおり、このような開閉状態やキーロック状態などの携帯電話機の状態に合わせたキー検出の停止は、検出回路ごとに設定することができる。例えば、キーロック状態でないときに携帯電話機を閉じると、メインキー１２ａのキー検出は停止するが、サイドキー１２ｂのキー検出は停止させないように設定することができる。これによって、携帯電話機を閉じても外部に露出しているキーは有効にすることができる。また、例えば、電源キー１２ｃは、携帯電話機の状態にかかわらず常にキー検出を行うように設定することができる。これによって、携帯電話機がいかなる状態と検出されていても、電源のＯＮ／ＯＦＦだけはできる。
【００４８】
なお、上記実施形態では、折り畳み形状の携帯電話機を例にして説明したが、スライド型やフラップ型など他の形状の携帯電話機であっても良い。例えば、開閉することによってキーが覆われるような形態となる場合があるような携帯電話機であれば、キーが覆われた状態を検出したときにそのキーのキー検出を停止するようキー検出回路の入力ポートや出力ポートを制御することによって、無駄な消費電流の発生を防止することができる。また、キーロックを設定できる携帯電話機であれば、開閉機構には関わりなく、キーロック解除に用いない補助的なキーの検出を停止するようにしても良い。
【００４９】
また、上記実施形態では、検出回路をメインキー１２ａの検出回路、サイドキー１２ｂの検出回路、電源キー１２ｃの検出回路に分けたが、これに限らず、例えばメインキー１２ａのうちの、テンキーの検出回路と方向キーやファンクションキーなどの検出回路とを更に分けても良い。
【００５０】
また、上記実施形態では、キー検出の停止を開閉状態やキーロック状態に応じて行う場合を例にして説明したが、キー検出の停止条件として他の状態を検出した場合を追加しても良い。
【００５１】
このように、上記実施形態に限定されることはなく、本発明の要旨を逸脱しない範囲において、適宜変更しても良い。
【図面の簡単な説明】
【００５２】
【図１】本発明の実施形態に係る電子機器の外観図。
【図２】本発明の実施形態に係る電子機器の外観図。
【図３】本発明の実施形態に係る電子機器の構成図。
【図４】本発明の実施形態に係る電子機器のメインキー検出回路を示す図。
【図５】本発明の実施形態に係る電子機器のサイドキー検出回路を示す図。
【図６】本発明の実施形態に係る電子機器のサイドキー検出回路を示す図。
【符号の説明】
【００５３】
１  携帯電話機、１１  ディスプレイ、１２ａ  メインキー、１２ｂ  サイドキー、１２ｃ  電源キー、２  電池、５１  制御部、５２  記憶部、５３  操作部、５４  通信部、５５  信号処理部、５６  音声入出力部、５７  表示部、５８  電源制御部
【図１】
0005358957.tif 000002
【図２】
0005358957.tif 000003
【図３】
0005358957.tif 000004
【図４】
0005358957.tif 000005
【図５】
0005358957.tif 000006
【図６】
0005358957.tif 000007